(57)【特許請求の範囲】
【請求項１】
背幅調整可能なファイリングの第１表紙又は第２表紙のいずれか一方又は双方に設置される背表紙収納部であって、
該背表紙収納部は、表紙側下地板と、起立部と、天板を具備し、
該表紙側下地板は、表紙に固定される下地の基盤であり、
前記起立部は、前記表紙側下地板の側部において前記表紙側下地板と前記天板の双方に連結された起立部であって、前記起立部が連結された箇所以外の前記下地板と前記天板の間は背表紙の厚さ以上の隙間を有する空洞部が形成され、かつ該空洞部の両端は開口され、
該開口部の背表紙収納部間口のうち、少なくとも天板側端面が面取された、
ことを特徴とする背表紙収納部。
【請求項２】
背幅調整可能なファイリングの第１表紙又は第２表紙のいずれか一方又は双方に設置される背表紙収納部であって、
該背表紙収納部は、表紙側下地板と、起立部と、天板を具備し、
該表紙側下地板は、表紙に固定される下地の基盤であり、
前記起立部は、前記表紙側下地板の側部において前記表紙側下地板と前記天板の双方に連結された起立部であって、前記起立部が連結された箇所以外の前記下地板と前記天板の間は背表紙の厚さ以上の隙間を有する空洞部が形成され、かつ該空洞部の両端は開口され、
該開口部の背表紙収納部間口のうち、少なくとも天板側端面先に、背表紙の接触移動によって回転する回転棒又は回転車が設置された、
ことを特徴とする背表紙収納部。
【請求項３】
第１表紙と第２表紙は対称となるように製作され、背表紙部の丈は該第１表紙及び該第２表紙の丈より単尺に製作され、該背表紙部が前記第１表紙又は前記第２表紙のいずれか一方に固着される場合には、該固着される前記背表紙部と前記第１表紙又は前記第２表紙とのいずれか一方の表紙縁部の位置に背表紙縁部押圧板が設置され、かつ前記第１表紙及び前記第２表紙が閉じられたとき、背表紙部角部双方が概左右対称となるように前記背表紙部及び背表紙収納部間口部が製作された請求項１又は請求項２の背表紙収納部。
【請求項４】
背表紙収納部に連接されるか又は併設される背表紙押圧部であって、
該背表紙押圧部は、板状板と、該板状板の両端を支持する支持部を具備し、
該支持部は、第１支持部と第２支持部を有し、双方にはフック部が設置され、
前記第１支持部と前記第２支持部は、それぞれが一方の支点及び力点となる支持部であり、前記フック部に板状板を掛けることによって背表紙が押圧挟持される、
ことを特徴とする背表紙押圧部を備えた背表紙収納部。
【請求項５】
背表紙収納部と共に連接されるか又は併設される背表紙押厚部であって、
該背表押厚部は、背表紙押圧部と、アーム部と、支持部を具備し、
前記アーム部は、前記背表紙押圧部と前記支持部に連結され、
該支持部は、前記背表紙押圧部が背表紙を挟持するときその支点及び力点となる支持部であり、前記背表紙押圧部の下に背表紙が押圧挟持される、
ことを特徴とする背表紙押圧部を備えた背表紙収納部。
【請求項６】
表紙の全部又は一部の縁をカギ型に囲んで挟む表紙把持部が設置された請求項１乃至請求項５いずれか記載の背表紙収納部又は背表紙押圧部若しくは背表紙縁部押圧板。
【請求項７】
それぞれが単独部品とされた請求項１乃至請求項６いずれか記載の背表紙収納部又は背表紙押圧部若しくは背表紙縁部押圧板。
【請求項８】
請求項１乃至請求項７いずれか記載の背表紙収納部又は背表紙押圧部若しくは背表紙縁部押圧板が設置されたファイリング用具。
【発明の詳細な説明】
【技術分野】
【０００１】  背表紙収納部に関する。
【背景技術】
【０００２】  本発明は、新規な物質を提供するものである。
本発明は、背幅調整可能なファイリング用具の背表紙収納部を別体で、部品として製造し、従来にない頑丈な背表紙収納部を製造すると同時に、背表紙収納部の間口の摺動性の向上を図り、かつ任意の背幅設定に応じて背表紙を強力に固定可能な背表紙押圧部を提供し、かつファイリング用具全体の左右対称性を確保し、構造上の脆弱性の克服、取扱性及び美観の向上を図るものである。
現状までの調査によれば、背幅調整可能なファイリング用具において、背表紙収納部が部品として製造され、それが表紙部に設置されたと考えられるものは市販されていない。また、従来技術も見当たらない。
本発明と関連すると考えられる従来技術は、次のとおりである。
背幅調整可能なファイリング用具において、挿入した背表紙が脱落しないように、差込背表紙部の先端と当該背表紙の受部である袋部の双方に折りたたみ部を作り、当該折り込み部を係合するようにしたものが提案されている。（例えば、特許文献１参照）。
当該技術文献は、挿入した背表紙の脱落防止に関する技術である。ファイリング用具全体の型崩れや背表紙収納部間口の損耗・破損対策、ファイリング用具全体の構造上の脆弱性の克服対策、及び取扱性や美観向上の対策が講じられていない。（特許文献１参照）。
また、背幅調整可能なファイルにおいて、綴じる紙葉類の増減に応じて綴じ足の長さを調整することができるファイル用綴じ足が提案されているものがある。（例えば、特許文献２参照）。
当該技術文献は、綴じる紙葉類の増減に応じて綴じ足の長さを調整することができるものである。ファイリング用具全体の型崩れや背表紙収納部間口の損耗・破損対策、ファイリング用具全体の構造上の脆弱性の克服対策、及び取扱性や美観向上の対策が講じられていない。（特許文献２参照）。
また、背幅調整可能なファイルにおいて、背表紙幅を規制する可動式のダイヤル式ストッパーを背表紙収納部に設置し、背表紙の脱落防止と背幅調整の双方の機能を持たせた背幅調整ファイルが提案されているものがある。（例えば、特許文献３参照）。
当該技術文献は、ダイヤル式ストッパーで、袋部から背表紙が脱落するのを防ぎ、背表紙幅を調整できるようにしたものである。ファイリング用具全体の型崩れや背表紙収納部間口の損耗・破損対策、ファイリング用具全体の構造上の脆弱性の克服対策、及び取扱性や美観向上の対策が講じられていない。（特許文献３参照）。
また、背幅調整可能なバインダーにおいて、綴じ込む書類の厚さに対応して背表紙幅を変えられるようにした紙葉バインダーが提案されているものがある。（例えば、特許文献４参照）。
当該技術文献は、綴紐部分と背表紙部に同配列順に識別表示を行ない、綴じ込む書類の厚さに対応して背表紙幅を変えられるようにしたものである。バインダー全体の型崩れや背表紙収納部間口の損耗・破損対策、ファイリング用具全体の構造上の脆弱性の克服対策、及び取扱性や美観向上の対策が講じられていない。（特許文献４参照）。
また、背幅調整可能なファイルにおいて、背表紙部を１枚のシートを二つ折りにして背表紙部に袋部を作り、その間に背紙を挿入可能としたファイルが提案されているものがある。（例えば、特許文献５参照）。
当該技術文献は、背表紙部を１枚のシートを二つ折りにして背表紙標題紙を挿入する袋部を作るための技術である。ファイリング用具全体の型崩れや背表紙収納部間口の損耗・破損対策、ファイリング用具全体の構造上の脆弱性の克服対策、及び取扱性や美観向上の対策が講じられていない。（特許文献５参照）。
【先行技術文献】
【特許文献】
【０００３】
【特許文献１】  登録実用第３０３６５９６号公報
【特許文献２】  特開２００８−８０５７４号公報
【特許文献３】  特開２００９−２６９２８４号公報
【特許文献４】  特開２００６−１６８３０９号公報
【特許文献５】  特開２００４−６６６９３号公報
【発明の概要】
【発明が解決しようとする課題】
【０００４】  本発明は、背幅調整可能なファイリング用具の背表紙収納部を別体で、部品として製造し、従来にない頑丈な背表紙収納部を製造すると同時に、背表紙収納部の間口の摺動性の向上を図り、かつ任意の背幅設定に応じて背表紙を強力に固定可能な背表紙押圧部を提供し、かつファイリング用具全体の左右対称性を確保し、構造上の脆弱性の克服、取扱性及び美観の向上を図るものである。
従来の背幅調整可能なファイリング用具は、表紙部を二重構造にして袋部を形成し、当該袋部に背表紙を出し入れすることにより背表紙幅を調整するものである。
従来の背幅調整可能なファイリング用具は、通常、背表紙と背表紙収納部が共に表紙と同じ材料であり、厚紙製である。
背表紙収納部は、構造的に弱体である。また、背表紙収納部に付加機能を設定することにも制約が生じている。
このため、多量の綴厚を要する綴物を綴込んで、頻繁に取扱、長期間使用する場合には、ファイリング用具全体が変形したり、破損しやすい。
また、袋部に挿入された側の背表紙がきちんと固定する措置が講じられていないため、綴じ物を多く綴じて本棚等に立て掛け、頻繁に出し入れ使用すると、背表紙が斜めになったり、ひしぎ変形を起こすものも多い。
また、ファイリング用具全体の左右非対称、第１表紙部と第２表紙部の丈の高さの異なるものもあり、それらは本棚等に立て掛けて使用するとき、美観が低下し、ファイリング用具全体の型くずれの遠因ともなっている。
本発明の第１の課題は、硬い素材を用いて、頑丈な背表紙収納部を作ることである。ファイリング用具本体とは別体、つまり部品として背表紙収納部を作れば、背表紙収納部の素材を自由に選び、構造も自由に作ることができる。
従来の背幅調整可能なファイリング用具は、表紙部を二重構造にして、当該表紙部間に袋部を形成して、背表紙を収納するものである。このため、素材の選定や構造の設定に制約があった。そこで本発明では背表紙収納部を部品として製造し、頑丈な素材を用いて製造することとしたものである。
本発明の第２の課題は、背表紙収納部の間口の摺動性の向上を図ることである。
従来の背幅調整可能なファイリング用具の背表紙収納部は、背表紙を背表紙収納部に出し入れするとき背表紙を出し入れする間口に磨耗、破損を引き起こし易い。本発明は、頑丈な素材を用いて背表紙収納部を製造すると同時に、背表紙出入部である間口に、更に背表紙が円滑に摺動できるような措置を講ずることとする。
本発明の第３の課題は、ファイリング用具全体の取扱性及び美観の向上を図るものである。
この課題を実現するための一つの方法として、背表紙収納部に挿入する背表紙と表紙部を、背表紙部に平行な線にそって丈全体をしっかり固定できるようにした。
出し入れする側の背表紙部の丈の大部分を一括してしっかり固定することが可能であれば、ファイリング用具全体の変形や型崩れを防止することができ、取扱性も向上する。
第３の課題を実現する二つ目の方法として、第１表紙と第２表紙を左右対称に製作し、同時に背表紙部の両角が左右対称となるような措置を講ずることとした。
第１表紙と第２表紙が左右対称となり、背表紙部両角が左右対称となることによって、ファイリング用具全体の美観が向上する。
【課題を解決するための手段】
【０００５】  第１の課題を解決するために、本発明では、硬い素材を用いて別体で、背表紙収納具を部品として製造し、それを背幅調整可能なファイリング用具に設置することとした。
硬い素材を用いて別体で背表紙収納具を作ることにより、垂直方向や傾斜方向の力が加わっても容易に変形しない頑丈な背表紙収納具を作ることができる。また、各種の付加技術を設置した背表紙収納具の製造も可能となり、各種加工及び背表紙押圧具との連接も可能となる。
第２の課題を解決するために、背表紙収納部の間口内側（本発明では、間口天板）と外側（本発明では、間口表紙側下地板）の端面のうち、少なくとも内側端面を面取りするか、又は、当該間口の内側端面部に背表紙が接触移動することに伴って回転する回転棒又は回転車を設置することにより、背表紙の出し入れをスムーズに行なうことができるような背表紙収納部を製造することとした。
第３の課題を解決するためのひとつ目の手段として、伸縮させる背表紙部と表紙部をしっかり固定することが可能な背表紙押圧部を併設又は連接することとした。
第３の課題を解決するための二つ目の手段として、第１表紙と第２表紙の丈を左右対称に製作し、背表紙部の丈を第１表紙と第２表紙より単尺に製作することとした。
第３の課題を解決するための三つ目の手段として、当該ファイリング用具の表紙を閉じて本棚等に立て掛けたとき、背表紙両側の角部が左右対称となるように、背表紙収納部の間口を製作し、背表紙部を製作することとした。
【発明の効果】
【０００６】  本発明は、部品として背表紙収納部を製造し、提供できる点が従来にない有利な点である。
部品として製造することにより、大量かつ多様な背表紙収納部の製造が可能となる。また頑丈で、しかも各種の機能を付加した、つまり背表紙収納部間口の磨耗、破損を抑制し、背表紙をきちんと固定し、ひしぎに強く頑丈で、取扱性及び美観が向上した背表紙収納部が提供できる。
なお、背幅調整ファイリングは、現状においては、用途が限定されている。しかしながら、前述したような背表紙収納部を提供することにより、多様な背幅調整可能なファイリング用具が提供できるようになり、需要が一層促進されるものと考えられる。
【図面の簡単な説明】
【０００７】
【図１】  請求項３に基づいて作成された背表紙収納部がファイリング用具に設置された１例を示した概略斜視図であり、第１表紙と第２表紙が対称に製作され、背表紙部の丈は第１表紙及び第２表紙より単尺に製作され、背表紙収納部間口の天板の端面は表紙側下地板の端面より僅かに張り出し、かつ背表紙部が固着された表紙縁に背表紙縁部押圧板（０２）が設置され、背表紙収納部（０１）間口が面取されたものである。
【図２】  図１の背表紙収納部（０１）の斜視図である。
【図３】  図２の背表紙収納部の正面図である。
【図４】  図２の右側面図である。
【図５】  請求項３の背表紙縁部押板の１例を示した拡大概略斜視図である。
【図６】  請求項２の回転棒の１例を示した拡大概略斜視図である。
【図７】  請求項６の把持部が設置された背表紙収納部の１例を示した斜視図であり、背表紙間口の表紙側下地板と天板それぞれの端面が等しく張り出したものである。
【図８】  図７の背表紙収納部の背面図である。
【図９】  図７の背表紙収納部の右側面図である。
【図１０】  請求項４の背表紙押圧部と背表紙収納部とが併設された背表紙収納部がファイリング用具に設置された１例を示した概略斜視図であり、背表紙押圧部が背表紙収納部奥行に設置され、第１表紙と第２表紙は対称に製作され、背表紙部の丈は第１表紙及び第２表紙より単尺に製作され、背表紙間口の表紙側下地板と天板それぞれの端面が等しく張り出したものである。
【図１１】  図１０の背表紙押圧部の１例を示した分解斜視図である。
【図１２】  請求項５の背表紙押圧部と背表紙収納部とが併設された背表紙収納部がファイリング用具に設置された１例を示した概略斜視図であり、背表紙押圧部が背表紙収納部奥行に設置され、第１表紙と第２表紙は対称に製作され、背表紙部の丈は第１表紙及び第２表紙より単尺に製作され、背表紙間口の表紙側下地板と天板それぞれの端面が等しく張り出したものである。
【図１３】  図１２の背表紙押圧部の１例を示した斜視図である。
【発明を実施するための形態】
【０００８】
【総記】
本発明の実施例は、それぞれが独立したものではない。各実施例は統一した考え方に基づいた発明であり、当該実施例に記載されていない事項についての考え方は、他の実施例において記載されている考え方があればそれが準用される。
本発明の各請求項に記載された素材の選定、各部分の構造やサイズ、組み立て方等は、本発明の設計事項とする。
【実施例１】
【０００９】  実施例１の図面は、図１から図５までである。
図１は、請求項３に基づいて作成された背表紙収納部がファイリング用具に設置された１例を示した概略斜視図であり、第１表紙と第２表紙が対称に製作され、背表紙部の丈は第１表紙及び第２表紙より単尺に製作され、背表紙収納部間口の天板の端面は表紙側下地板の端面より僅かに張り出し、かつ背表紙部が固着された表紙縁に背表紙縁部押圧板（０２）が設置され、背表紙収納部（０１）間口が面取されたものである。
図２は、図１の背表紙収納部（０１）の斜視図である。図２において、Ａが天板であり、ａが天板間口端面（間口内側端面）、Ｂが表紙側下地板であり、ｂが表紙側下地板間口端面（間口外側端面）、Ｃが起立部である。図２において、背表紙収納具の表紙側下地板の端が天板の端より僅かに張り出した庇状張出部が形成されている。
図３は、図２の背表紙収納部の正面図である。
図４は、図２の右側面図である。
図５は、請求項３の背表紙縁部押板の１例を示した拡大概略斜視図である。
実施例１においては、背表紙収納部の天板の間口側端面は面取りされている。図１〜図５においては、面取状況の図示を省略している。
図１、図２においては、背表紙収納部の表紙側下地板は天板の端より僅かに張り出した庇状張出部が形成されている。
背表紙収納部は、ファイリング用具等の第１表紙又は第２表紙の一方に設置し、他方の表紙において当該表紙部に固着する方法がある。また、本発明品の背表紙収納部は、第１表紙及び第２表紙の双方に設置することもできる。後者の場合、どちら側からでも背表紙の幅を調整することができる。
背表紙が伸縮自在に調整可能なファイリング用具において、表紙を閉じたとき、背表紙部角部双方が左右対称となるためには、天板と表紙側下地板との距離（間隔）を必要以上に広げないことが重要である。
背表紙部の素材は、可撓性であり、表紙を折り曲げたとき、左右の背表紙部角部双方が極端にアンバランスとならないような素材を選定し、かつ製造することが肝要である。
表紙を折り曲げたとき背表紙部角部双方が左右対称となるためには、背表紙縁部押圧板（０２）の縁部も面取りすると良い。背表紙縁部押圧板（０２）は、当該ファイリング用具の取扱中、背表紙部のねじれやよじれを防ぐのに効果がある。
天板は連続した１枚の板を想定している。
表紙側下地板は、図１〜図５においては連続した１枚の板である。
但し、天板及び表紙側下地板は、必ずしも、連続した１枚の板でなければならない訳ではない。
表紙側下地板は、背表紙収納部を表紙に固定する役目を果たす板である。表紙側下地板、起立部、及び天板は、それぞれ当該背表紙収納部をファイリング用具に設置して目的とする強度が確保できる素材を選び、また、厚さ等を確保する必要がある。
表紙側下地板と表紙は、接着の他、ビスや鋲又はリベット等で固定することも可能であり、これら複数の固定手段を講ずることもできる。
背表紙収納部間口側の面取は、表紙側下地板と天板の双方に実施しても良い。また、面取は、横断面が半円形又は半楕円形とするか若しくは傾斜面を形成するように面取することが適当である。但し、背表紙を円滑に摺動可能できるものであれば、種類や形は特に問わない。なお、面取面は、平滑にすることが望ましい。
背表紙収納部の間口の端面は、必ずしも天板の端面が下表紙側下地板の端面より単尺に設置しなければならないものでもない。当該ファイリング用具の表紙を折り曲げたとき、背表紙角部に期待する形を考慮して決めるものである。
【実施例２】
【００１０】  実施例２は、請求項２の実施例であり、図面は図６である。
図６は、請求項２の回転棒の１例を示した拡大概略斜視図である。
請求項２は、請求項１の間口端面の面取に代えて、背表紙の接触移動によって回転する回転棒又は回転車を間口天板の端面に設置するものである。
背表紙の接触移動によって回転する回転棒又は回転車を間口天板の端面に設置する場合は、起立部に受軸を設置すると良い。
天板側の端面を表紙側下地板の端面より短く設置し、当該箇所に、回転棒等を設置しても良い。
回転棒又は回転車は、天板端面及び表紙側下地板端面の双方に設置しもよい。
背表紙を円滑に摺動させるためには、面取面の設置より回転棒等の設置の方が適当である。
【実施例３】
【００１１】  実施例３の図面は、図７から図９までである。
図７は、背表紙間口の表紙側下地板と天板それぞれの端面が等しく張り出した背表紙収納部に、請求項６の把持部が設置された背表紙収納部の１例を示した斜視図である。
図７において、Ａが天板であり、Ｂが下地板、Ｃが起立部、Ｄが把持部の把持板である。この場合、起立部（Ｃ）は、把持部の把持板まで連接されている。
図８は、図７の背表紙収納部の背面図である。
図９は、図７の背表紙収納部の右側面図である。
図７〜図９においては、背表紙中央部側間口の表紙側下地板と天板端面が等しく張り出している。
把持部は、表紙を切り欠いて設置しても良い。
ファイリングの表紙は、表紙側下地板と把持部の把持板の間に挟まれて固定される。固定手段は、接着の他、ビスや鋲又はリベット等で固定することも可能であり、複数の固定手段を講ずることもできる。
【実施例４】
【００１２】  実施例４の図面は、図１０及び図１１である。
図１０は、請求項４の背表紙押圧部と背表紙収納部とが併設された背表紙収納部がファイリング用具に設置された１例を示した概略斜視図であり、背表紙押圧部が背表紙収納部奥行に設置され、第１表紙と第２表紙は対称に製作され、背表紙部の丈は第１表紙及び第２表紙より単尺に製作され、背表紙間口の表紙側下地板と天板それぞれの端面が等しく張り出したものである。
図１１は、図１０の背表紙押圧部の１例を示した分解斜視図である。
図１１において、背表紙押圧部板状板がＥ、第１支持部がｅ−１、第２支持部がｅ−２、フック部はαである。背表紙の押圧部は、表紙側がＥ、天部側がＦである。この場合、Ｆの両端は、αに引っ掛けられて、背表紙が挟持される。
βは、本実施例ではスポンジとしたが、適当な弾力性のある素材であれば、他の素材でも構わない。
第１支持部ｅ−１又は第２支持部ｅ−２は、どちらかの一端を回転可能に固定しても良い。押圧板（Ｆ）は、弓形に反り変えらせた反発力のある板を使用しても良い。
背表紙押圧部は、背表紙収納部開口部のどちら側に設置しても良い。双方に設置しても良い。背表紙押圧部は、背表紙収納部間口付近に連接してもよい。
本発明の最良の実施形態は、実施例４である。
【実施例５】
【００１３】  実施例５の図面は、図１２及び図１３である。
図１２は、請求項５の背表紙押圧部と背表紙収納部とが併設された背表紙収納部がファイリング用具に設置された１例を示した概略斜視図であり、背表紙押圧部が背表紙収納部奥行に設置され、第１表紙と第２表紙は対称に製作され、背表紙部の丈は第１表紙及び第２表紙より単尺に製作され、背表紙間口の表紙側下地板と天板それぞれの端面が等しく張り出したものである。
図１３は、図１２の背表紙押圧部の１例を示した斜視図である。
図１３において、押圧部はＫ、アーム部はＬ、支持部はＭである。この場合、Ｍには、通常、バネが内臓されている。
【符号の説明】
【００１４】０１  背表紙収納部
０２  背表紙縁部押圧板
Ａ  天板
ａ  天板間口端面
Ｂ  表紙側下地板
ｂ  表紙側下地板間口端面
Ｃ  起立部
Ｄ  把持部の把持板
Ｅ  背表紙押圧部板状板
ｅ−１  第１支持部
ｅ−２  第２支持部
α  フック
Ｆ  背表紙押圧部押圧板
β  押圧スポンジ
Ｋ  背表紙押圧部
Ｌ  アーム部
Ｍ  支持部
【要約】
【課題】背幅調整可能なファイルリング用具に設置される背表紙収納部を丈夫な素材を用いて別体で（部品として）製造し、背表紙収納部の間口の摺動性の向上を図り、背表紙部を強く固定可能な背表紙押厚部を設置する。
【解決手段】ファイルリング用具と別体で、丈夫な素材を用いた背表紙収納部を製造する。そして当該背表紙収納部の間口を面取りするか又は背表紙の接触移動に伴って回転する回転車又は回転棒を設置し背表紙の摺動の円滑化を図り、背表紙の固定強化のための背表紙固定部を併設又は連接する。
【選択図】図１０【図１】
0005194236.tif 000002
【図２】
0005194236.tif 000003
【図３】
0005194236.tif 000004
【図４】
0005194236.tif 000005
【図５】
0005194236.tif 000006
【図６】
0005194236.tif 000007
【図７】
0005194236.tif 000008
【図８】
0005194236.tif 000009
【図９】
0005194236.tif 000010
【図１０】
0005194236.tif 000011
【図１１】
0005194236.tif 000012
【図１２】
0005194236.tif 000013
【図１３】
0005194236.tif 000014